(57)【特許請求の範囲】
【請求項１】
成形加工時に金型の温度を調節する金型温度制御装置において、該装置は、（ａ）金型に設けた温度センサーと、（ｂ）該金型の加熱源と、（ｃ）該金型に設けた金型媒体路に供給する冷却媒体を制御する媒体制御バルブと、（ｄ）該温度センサーからの信号を受信して、該加熱源あるいは該媒体制御バルブを選択して電流を供給する制御部とを有し、該加熱源は、取付部材を介して該加熱源が該冷却媒体路内に設けられるように該金型に装着され、該取付部材には該金型媒体路の一部を構成する貫通孔が貫設されており、金型の温度調節にあたり、加熱時には該加熱源に電流を供給し、冷却時には金型媒体路に冷却媒体を制御しながら供給して金型の温度を調節することを特徴とする金型用温度制御装置。
【請求項２】
請求項１において、該加熱源は媒体路内に延出する電磁誘導加熱コイルであることを特徴とする金型用温度制御装置。
【請求項３】
金型媒体路を有する金型に取り付けるための金型取付用電磁誘導加熱コイルであって、該金型取付用電磁誘導加熱コイルは、コイル部と該コイル部を該金型に取り付けるための取付金具とを有しており、該加熱コイルは、該コイル部が該金型の金型媒体路内に延出するようにして該取付金具を介して該金型に装着され、該取付部材には媒体ホースが接続される媒体路取付口が形成されており、加熱時には該コイル部に電流が供給されることで金型を加熱し、冷却時には該金型媒体路に冷却媒体を供給できるように構成された金型取付用電磁誘導加熱コイル。
【発明の詳細な説明】
【０００１】
【発明の属する技術分野】
本発明は、金型を所定の成形温度にするための金型温度制御装置に係り、詳しくは、金型には媒体路と金型の温度を検出するセンサーを設け、金型の加温時には加熱源（ヒーター、電磁誘導加熱コイルなど）に電流を供給し、減温時には媒体路に冷却媒体を制御しながら供給し金型の成形温度を制御する金型温度制御装置に関するものである。
【０００２】
【従来の技術】
金型を用いて所定の製品を成形する場合には、金型を所定の成形適温に保つことが必要であり、熱媒体油や冷却水等の媒体やヒーター等を用いて金型の温度調節を行っている。
従来の金型温度調節の方法には
（イ）加熱した媒体を金型内媒体路に供給し、金型の温度を制御するもの。（一般に使用されている媒体を用いた金型温度調節機）、
（ロ）冷却した媒体を金型媒体路に供給し、金型の温度を制御するもの。（チラー等）、
（ハ）カートリッジヒーターを金型に挿入し、金型を加温するもの。（ホットランナー形式等はこれにあらる）、
（ニ）平板状のヒーターを金型に装着し、金型を加温するもの。
（ホ）成形機付属の冷却水装置からの水を金型媒体路に供給して、金型の温度上昇を抑えるものがある。
【０００３】
上記（イ）、（ロ）、（ハ）、（ニ）、（ホ）の温度調節方法の特徴は以下のとおりである。
（イ）の金型温度調節機は、金型媒体路に金型温度調節機の送、返媒用ホースを繋ぎ、温度を制御した媒体を供給して金型温度をコントロールするものであり、一般的に普及している金型温度調節機である。
この媒体使用の金型温度調節機は、媒体をヒーターで加熱し、冷却動作のときは媒体を水で冷却して金型に送る間接加熱、間接冷却であり、金型にヒーター等を装着して用いる直接加熱や、冷却水で減温する直接冷却より効率がわるい。
媒体に水を用いて長く使用しているとスケールが育成され付着する。熱交換率の低下、配管の閉塞等の原因になる。スケール噛み込みによるポンプインペラーの破損、配管内流路閉塞による水量ダウン等を起こすこともある。また、媒体収容容器にスラッジが溜まり、ときどき清掃の必要がある。
金型の交換で金型媒体路から送、返媒路を外すとき金型媒体路や金型温度調節機の送、返媒路ホースより残留媒体がこぼれ作業者の手に付着し、また成形機を汚し媒体が高温のときなどは危険であり、金型にヒーター等直接装着して用いる方法より効率がわるい。
【０００４】
従来、金型温度制御に使われている金型加温用の金型温度調節機や、冷却用のチラー等は、媒体収容容器の中で媒体を加熱や冷却して、その媒体をポンプで金型に送り金型の温度を制御する。最低限、媒体収容容器とポンプを用いるため、ある程度の大きさをもつ機器になり、これが金型温度制御用機器として射出成形機とは別体として存在しているが、できれば簡単かつスリム化し成形機に組み込めればよい。
【０００５】
また、金型温度調節機が金型を加温するときは、媒体をヒーターで加温し金型に送り出すが、金型への樹脂の注入により金型が金型温調機のセット温度より上昇しだしたときは、金型から戻ってくる媒体は金型を通過する祭に加温され媒体収容容器に戻ってくる。この媒体を水で冷却して再び金型に送り金型を成形適温に保っている。加温された媒体を冷却しながら金型温度調節機の媒体温度を保つことを、金型温度調節機の冷却動作と呼んでいる。この場合冷却動作をしないで、直接金型に冷却水などを供給できれば、エネルギーの無駄ずかいをなくし、不必要なコストを避けることができる、このタイプの金型温度調節機の改良点である。
【０００６】
（ロ）は、成形サイクルをあげるために、金型を冷却し金型に注入された樹脂をはやく硬化させるときや、外観の「ヒケ」の防止などに用いる。（ハ）は、金型ランナー部にカートリッジヒーターを挿入し、ランナーを硬化させないランナーを省いたホットランナー形式や、金型の所望する位置にヒーターを挿入し必要な箇所の加温に用いることが出来る。
（ニ）は、金型に平板ヒーターを装着し金型加温用として使われる。（ホ）は、射出成形機に装着されている冷却水装置（ただの水口が集合したもの）から冷却水を金型に接続し、金型を減温するのみに用いる、成形加工中金型の温度上昇を抑えたいときに用いる、ごく普通の金型冷却方法である。
【０００７】
【発明が解決しようとする課題】
本発明は、かかる従来の金型温度制御方法に照らして新しい着想に基づいて創案されたものであって、第一の目的は金型温調機の冷却動作をなくすことである。第二の目的は金型を直接加熱、直接冷却することである。第三の目的は金型温度調節システムの簡素化にある。第四の目的は在来の金型を追加工することなく簡便な方法で金型温度制御が出来ることにある。
【０００８】
【問題を解決するための手段】
かかる課題を達成するために本発明が採用した手段は、成形加工時に金型の温度を調節する金型温度制御装置において、該装置は、金型に設けた温度センサーと該金型の加熱源と、該金型に設けた金型媒体路に供給する媒体を制御する媒体制御バルブと、該温度センサーからの信号を受信して、該加熱源あるいは該媒体制御バルブを選択して電流を供給する制御部とを有し、金型の温度調節にあたり、加熱時には該加熱源に電流を供給し、冷却時には金型媒体路に冷却媒体を制御しながら供給して金型の温度を調節することを特徴とするものである。
【０００９】
加熱時には金型に装着された加熱源（例えば、平板ヒーター、カートリッジヒーター等のヒーター、平板状電磁誘導加熱コイル、棒状電磁誘導加熱コイル等の電磁誘導加熱コイル）に電流や高周波電流を供給し、冷却時には加熱媒体路に冷却媒体を制御しながら供給し金型の温度を調節する。このように加熱時は加熱源が直接加熱、冷却時は水で直接冷却するので、エネルギーの無駄使いをすると共に不必要なコストが生じる冷却動作等を必要としない。該装置は媒体収容容器を持たなくてもよいので、機器のスリム化が可能であり制御部を成形機に取り付けてもよいし別体としてもよい。
【００１０】
加熱源は金型に設けてあり、該金型媒体路は冷却媒体路であり、該加熱源は金型に形成された冷却媒体路内に設けてあり、該加熱源は取付部材を介して該金型に装着されており、該取付部材には冷却媒体路の一部を構成する貫設孔が貫設されており、好適には、該加熱源は媒体路内に延出する電磁誘導加熱コイルである。殆どの従来の金型に形成されている金型媒体路を利用して加熱源を装着することで、金型温度調節システムを簡素化することができ、在来の金型を追加工することなく簡便な方法で金型温度制御が出来る。また、電磁誘導加熱コイルの寸法や装着位置を選択することで、金型の所望部位を選択して加熱することが出来る。
【００１１】
尚、前記の金型温度制御装置に、金型用媒体路装置を併設することも可能である該金型用媒体路装置については、特許２９９２９３４号に詳述されている。本発明に金型用媒体路装置を採用した一つの形態について、図４に基づいて説明する。送媒口３１、少なくとも一つ以上の媒体入口（３２ａ，３２ｂ）媒体排出口３３を互いに流体連通してなる送媒用ブロックＡと、返媒口３４、少なくとも一つ以上の媒体出口（３５ａ，３５ｂ）媒体排出口３６を互いに流体連通してなる返媒用ブロックＢと、該送媒口３１と媒体路取付口１３ｆとを流体連通連結する送媒路Ｃと、該返媒口３４と金型媒体出口２２ｃとを流体連通連結する返媒路Ｄとを有し、送媒用ブロックＡ返媒用ブロックＢの少なくてもいずれか一方には圧縮空気入口３８、３９を設け、少なくとも一つの媒体入口（３２ａ，３２ｂ）および媒体出口（３５ａ，３５ｂ）を適宜選択した媒体源に連結するようにしたことを特徴とする金型用媒体路装置を併設してもよい。金型用媒体路装置を併設することにより金型媒体路の媒体抜きが自在に出来るので、金型交換のとき媒体がこぼれて機械やその周りを汚すことがなく作業環境が改善される。媒体の温度が高いときなどは、作業者の手に付着することがないので安心である。必要があれば他の金型温度調節機の媒体ホースを送媒用ブロックＡの、媒体入口、返媒用ブロックＢの、媒体出口に接続すれば、簡単に異なった媒体を供給し金型の温度調節をすることもできる。尚、金型媒体路装置を使用したものでは、金型と媒体路の接続にバルブ付きカプラ等を使用する必要がないので低い圧力で流量が充分流せる。メーカーのデータ‐では同じ流量を流す場合バルブ付きカプラとバルブのないカプラでは圧力差が約４倍にもなる。同じ圧力では流量は約倍という結果もある。
【００１２】
【発明の実施の形態】
本発明の実施の形態を図面に基づいて説明する。図１は第１の実施の形態に係る金型温度制御装置のブロック図である。
成形金型２２は通常、可動金型と固定金型とから構成されるが、便宜上、一つの金型のみを図示している。成形金型２２には金型媒体路２２ａが貫設されており、金型媒体路２２ａの一端側が金型媒体入口２２ｂ，他端側が金型媒体出口２２ｃとなっている。金型２２に貫設された、媒体路２２ａの一端側の金型媒体入口２２ｂには、金型用電磁誘導加熱コイル１３Ａが設けられている。金型用電磁誘導加熱コイル１３Ａの媒体路取付口１３ｆと、他端側の金型媒体出口２２ｃには冷却媒体源２３が接続ホースを介して接続されている。
【００１３】
金型２２には金型の温度を検出する温度センサー１２（センサーは非接触式でもよい）を設けてあり、その信号を受信する部分２が制御ボックス２１に設けてある。金型２２には加熱源（電磁誘導加熱コイル）１３Ａを装着してあり、それに高周波電流を供給する部分３が制御ボックス２１に設けてある。金型媒体路２２ａに供給する冷却媒体は媒体制御バルブ１５によって制御され、該バルブ１５は金型２２と冷却媒体源２３を結ぶ媒体路の適切な部位に設けてある。制御ボックス２１には、該バルブ１５に電流を供給する部分５を有している。
【００１４】
金型２２に貫設されている金型媒体路２２ａの、一端の金型媒体入口２２ｂには、金型用電磁誘導加熱コイル１３Ａのコイル部が金型媒体路の奥に向かって差し入れてある。コイル部と金型媒体路２２ａとは冷却水が流れるのに十分な隙間が確保されている。金型電磁誘導加熱コイル１３Ａは、金型媒体出口２２ｃ側に取り付けてもよい。又両端に取り付けてもよく、金型の加温のさせかたによる。
【００１５】
図２に示すように、金型取付用電磁誘導加熱コイル１３Ａは、コイル線１３ｃが巻かれたコイル芯１３ａ、コイル保護の外枠１３ｂと、コイル部を金型に取付けるための取付金具１３ｄとからなる。コイル芯のコイルの巻き方は、取付金具１３ｄは加熱の必要がないので、取付金具１３ｄより少しはなれた箇所より、エナメル銅線（これに準ずる物でもよい）１３ｃが密状に巻かれている。コイル部の長さは、金型媒体路２２ａの長さや金型２２の加温のさせよう等、用途により、いろいろな長さのものがある。コイルの外側をコイルの保護のために外枠１３ｂで覆ってある。コイル芯１３ａ，外枠１３ｂはＰＥＴ等の樹脂で出来ている。外枠１３ｂは非磁性ステンレス（１８−８、１８−１０）材などを用いてもよい。金型に取付けるときは、金型媒体入口２２ｂまたは金型媒体出口２２ｃに取付ネジ１３ｅで取付けるが複数の媒体路が設けてある場合は、必要な箇所に必要な個数取付ければよい。コイル部を金型媒体路に入れるように金型に取付けられた、金型用電磁誘導加熱コイル１３Ａのリード線に高周波電流を通電すると、コイルに近接した、媒体路に誘導される渦電流による金型自信の発熱を利用し金型を加温する。
尚、図２の例では、金型用誘導電磁加熱コイル１３Ａは、金型媒体入口２２ｂに取り付けられ、加熱コイル１３ｃのコイル線は金型媒体入口２２ｂより入りコイル芯１３ａに巻かれ、金型媒体入口２２ｂに戻ってきている。
別な方法としてコイル線１３ｃは金型媒体入口２２ｂより入り金型媒体出口２２ｃに出るように、即ち金型媒体路２２ａを加熱コイルが貫通するようにしてもよい。
【００１６】
金型用電磁誘導加熱コイル１３Ａの使用方法について説明する。通常成形金型２２には、媒体路２２ａが貫設されており、その媒体路２２ａに冷却媒体源より冷却水を供給したり、金型温度調節機を用いて加熱媒体を供給したりして、金型２２の温度を調節している場合、金型２２の冷却と加熱に温度の異なった媒体を使用しているので、金型へ接続されている媒体路は繋ぎ変えをしている。
金型媒体路２２ａの媒体入口２２ｂ又は媒体出口２２ｃなどに金型用電磁誘導加熱コイル１３Ａを設け、金型用電磁誘導加熱コイル１３Ａと制御ボックス２１の高周波出力装置３とを接続する。金型用電磁誘導加熱コイル１３Ａの媒体路取付口１３ｆと金型媒体出口２２ｃに冷却媒体源２３から媒体ホースを接続する。制御ボックス２１の電源を入れ、制御ボックス２１の温度調節器を成形適温にセットする。金型２２が成形適温より低いときは、高周波電流が金型用電磁誘導加熱コイル１３Ａに流れ媒体路２２ａ内に入れてあるコイルに高周波電流が流れる。コイルに近接した金型媒体路に誘導される渦電流による金型２２自身の発熱を利用して金型２２を加温する。成形適温になると電磁加熱コイル１３Ａに供給されている高周波電流は切れる。成形適温より上昇しだしたら、冷却媒体源２３から冷却水が、金型用電磁誘導加熱コイル１３Ａの媒体取付口１３ｆから金型媒体路２２ａに入り金型を冷却する。金型に装着されている媒体路の付け替えなしに金型の直接加温と直接冷却ができる。
【００１７】
金型温度調節の方法を、媒体を用いた金型温度調節機の使用から、直接冷却水で冷却する方法に変更する場合には、金型に接続されている媒体路の繋ぎ変えをする。金型媒体入口２２ｂや金型媒体出口２２ｃに、金型用電磁加熱コイル１３Ａ設けたものについては、加温時には、高周波電流を制御ボックス２１の高周波出力部３より供給し、金型２２を加温する。冷却時には、冷却水を金型用電磁誘導加熱コイル１３Ａの媒体路取付口１３ｆに接続されている冷却水ホースより、供給し金型２２を冷却する。媒体路の交換なしに冷却水を供給できる。金型用電磁誘導加熱コイル１３Ａを装着しているものでは、媒体ホースを交換することなしに、電磁誘導加熱コイル１３Ａに高周波電流を流すことによる直接加熱、冷却水による直接冷却ができ、エネルギーの有効利用ができる。
【００１８】
成形時の金型温度を測るために温度センサー１２が、金型２２に設けられたセンサー差込穴に挿入されている。温度センサー１２は制御ボックス２１のセンサー入力部２に接続されている。この温度センサー１２からの信号で、制御ボックス２１内の、温度調節器６が作動し設定温度より低ければ、金型用電磁誘導加熱コイル１３Ａが入力されて金型２２を加温し、高ければ媒体制御バルブ１５、が入力されて金型２２を冷却し金型を設定温度に保つ。冷却媒体をコントロールする媒体制御バルブ１５は金型媒体入口２２ｂと冷却媒体源２３との間の適切な部位に設けられており、制御ボックス２１内のバルブ出力部５と接続されている。媒体制御バルブ１５を設けなくともよいがその場合は冷却媒体源のバルブ２３ａの操作で制御する。冷却媒体源は成形機付属の冷却水装置でもよい。
金型の冷却時、媒体制御バルブ１５は弁の「開」「開」によって冷却水を制御しているが、弁の「開」  「閉」でなく弁が可変的に動き、弁の動く量により流量を制御する弁（例えば、ボール弁や止弁、バタフライ弁など）で冷却水の量を調節し金型に冷却水を供給し金型の温度を調節してもよくこのこの弁が自動弁であってもよい。
【００１９】
金型を成形機に取付けるために、金型には合ボルト用の穴があいている。金型に温度センサーを取付ける場合、この穴を利用して取付けると便利である。測温体には、白金測温抵抗体、熱電対、サーミスタ等あるがステンレスの保護管付きのものがよい。簡単には、ボルトや合ボルトに測温体の通過する穴をあけ、それを合ボルト穴に入れ測温体を通す、これでも金型の測温はできる。ばねやネジを用いて測温体を金型に密着させればなおよい。
小さな金型には、固定側に合ボルトの穴があいていない金型もある。このような場合には、測温体を、マグネットを利用して金型に密着させて金型温度を計測することもある。
とくに、可動金型側にセンサーや金型用電磁誘導加熱コイル、媒体路を取付ける場合、これらには補償導線、電線、ホースが付いている。可動金型側は往復運動をしているので、これらがマシンボディ、タイバー、シューター等成形機周辺に、接触して損傷し危険が生じないよう、成形機可動盤などに、媒体路等保持具を使用して、媒体路等を、成形機周辺に接触しないように、規制した状態で予め装着しておけば損傷するようなことはない。
【００２０】
このような装置の運転方法について説明すると、金型に加温も、冷却もしない状態で成形作業を開始し、作業を続行した場合、金型に注入される樹脂の熱で時間の経過とともに金型温度は上昇するが、その成形品に求められる最適な金型温度に、イ、達しない場合、ロ、達する場合、ハ、金型の温度が高くなりすぎる場合がある。
【００２１】
イの、注入される樹脂の熱だけでは金型温度が成形適温に達しない場合は、ヒーターか金型温度調節機を用いて加温のみをすればよい。
ロの、金型温度が成形適温に達する場合は、成形作業の開始から金型への樹脂の注入により金型温度が適温になるまで金型を加温すればよく、適温に達したら加熱装置を切ればよい。
ハの、金型温度が高くなりすぎる場合は、成形作業を開始し、金型への樹脂の注入により金型の温度が上昇し適温にならまでは金型を加温すればよく、その後は冷却すればよい。
【００２２】
ハの場合、一般的には、金型に媒体液使用の金型温度調節機を繋ぎ金型を加温する、金型が成形適温になったら成形作業を開始する。金型に注入される樹脂の熱で時間の経過とともに金型温度が上昇し、成形適温より上がりだすと、金型温度調節機は冷却動作に入り金型を冷やし金型の温度上昇を抑えて適温を保つ。
【００２３】
金型温度調節機が金型を加温するときは、媒体収容容器の媒体をヒーターで加温し金型に送り出す、金型温度が成形適温より上昇しだすと、金型から戻ってくる媒体は金型を通過する祭、加温され媒体収容容器に戻ってくる、この媒体を水で冷却して再び金型に送り金型を成形適温に保っている。加温された媒体を冷却しながら金型温度調節機の媒体温度を保つことを、金型温度調節機の冷却動作と呼んでいる。
この間接冷却を使用する冷却動作は、エネルギーの無駄が大きく不必要な動作である。別な方法としては、この加温装置を止めて、冷却水を直接金型に接続すれば一番効率がよい。
【００２４】
金型に繋いだ金型温度調節機の、ホースを外して冷却水のホースに繋ぎ換えれば良いわけだが、成形適温になって成形作業が順調なとき、作業を中断して金型に繋がれている、金型温度調節機のホースと冷却水のホースとの繋ぎ変えは、まず手間がかかってめんどう、金型温度が下がる、成形機加熱筒内樹脂の滞留など、成形作業の条件が変わり、成形作業の調子を狂わせる要員が多いので、普通ならばホースの繋ぎ変えはしないで、金型温度調節機の冷却動作にたよる。
【００２５】
図３に示すように、制御ボックス２１にはセンサー入力部２、温度調節器６、高周波出力装置３、バルブ出力リレー５を持つ。金型２２の媒体入口２２ｂに金型用電磁誘導加熱コイル１３Ａを取付け、金型用電磁誘導加熱コイル１３Ａの媒体路取付口１３ｆには冷却源からの媒体ホースが媒体制御バルブ１５を介して接続されている。金型媒体出口２２ｃは冷却媒体源２３の返媒口に接続されている。金型の温度測定にはセンサー１２が金型に設けてある。冷却媒体源とは成形機付属の冷却水装置でもよい。
【００２６】
このような装置の運転方法について説明すると、金型に加温も、冷却もしない状態で成形作業を開始し作業を続行した場合、金型に注入される樹脂の熱で時間の経過とともに金型温度は上昇するが、その成形品に求められる最適な金型温度に、イ、達しない場合、ロ、達する場合、ハ、金型の温度が高くなりすぎる場合がある。
具体的には、金型に注入される樹脂の熱で時間の経過とともに金型温度が上昇し、水冷却で成形適温が保てる場合について考える。はじめの金型温度１０℃成形適温５０℃金型を外部から加熱も冷却もしない状態で成形を続行した場合、注入される樹脂の熱で金型温度は７０℃になる。
【００２７】
制御ボックス２１の電源スイッチ７ａを入れると、温度調節器６も「ＯＮ」になる。高周波入力スイッチ３ａ、バルブ出力スイッチ５ａを「ＯＮ」にする。金型温度調節器６に金型の成形適温５０℃をセットする。作業開始時の金型温度は、温度調節器６にセットした温度より低く１０℃なので、温度調節器６より金型加温の信号が出力されリレー３Ａが励磁される。高周波装置３が作動し、金型媒体入口２２ｃに取付けてある金型用電磁誘導加熱コイル１３Ａに、高周波電流が出力されて、金型媒体路２２ａに入れてあるコイル部が励磁され、それに近接している媒体路周辺から加温されだす、しだいに金型温度が上昇する。金型２２に装着されている温度センサー１２が、制御ボックス２１のセンサー入力部２に信号を送り、その信号を温度調節器６が感知し設定した温度に到達したら、高周波電流の出力はカットされる。成形金型２２が成形適温５０℃に達したら成形作業を開始する。このまま成形作業を続行すると金型温度は７０℃まで上昇するが、成形金型２２が成形適温５０℃より上昇すると温度センサー１２が温度調節器６に信号を送る。その信号で温度調節器６が作動しバルブ出力リレー５が「ＯＮ」する。媒体制御バルブ１５が開き冷却媒体源２３から冷却媒体が金型用電磁誘導加熱コイル１３Ａの媒体路取付口１３ｆより、金型媒体路２２ａに流れ金型２２を冷やし成形金型２２の成形適温を保つ仕組みに成っている。
【００２８】
温度調節器６は、加熱冷却制御のタイプを使用している、金型の温度調節の精度により、調節感度やデットバンドの値は決定すればよい。温度調節器も加熱や冷却が管理できるものであればよい。温度調節器６が金型用電磁誘導加熱コイル１３Ａや媒体制御バルブ１５の制御を管理する、制御方法も、この場合は、「ＯＮ」「ＯＦＦ」動作で説明したが、時分割比例動作で行ってもよく、この制御方法の方が、金型温度のゆれが少なく正確に金型温度の管理が出来るが、金型温度の必要精度によりどちらかを選べばよい。金型用電磁加熱コイル１３Ａへ高周波電流を送る方法として、この場合は、周波数が固定した高周波電流を用い、この高周波電流を「ＯＮ」「ＯＦＦ」して金型温度を制御する（この場合は、ヒーターに流す電流を「ＯＮ」「ＯＦＦ」して温度を制御するのと同じ感じ）が、高周波電流を細かく「ＯＮ」「ＯＦＦ」して高周波の出力を決めてもよく、出力の増減は「ＯＮ」幅の調整より決める。（この方法は電磁誘導加熱の調理器にも用いられており、「ＯＮ」幅の設定により出力が決まる）
【００４３】
【発明の効果】
以上説明してきた本発明は特に以下に述べるような効果を奏する。
▲１▼直接加熱、直接冷却を用いることで、冷却動作をなくした。エネルギーの有効利用ができる。
▲２▼媒体収容容器をなくし、金型用電磁誘導加熱コイルなどの採用により、金型温度制御システムの簡素化が出来る。成形機に組み込むことができる。
▲３▼従来の金型を追加工することなく、金型媒体路に金型用電磁誘導加熱コイル等を装着する簡便な方法で、金型温度制御ができる。
【図面の簡単な説明】
【図１】第一の実施の形態に係る金型温度制御装置のブロック図である。
【図２】金型用電磁誘導加熱コイルの詳細図である。
【図３】制御ボックスにおける制御回路図である。
【図４】第一の実施の形態に金型媒体路装置を設けたものを示すブロック図である。
【図１】
0003593509.tif 000002
【図２】
0003593509.tif 000003
【図３】
0003593509.tif 000004
【図４】
0003593509.tif 000005